(57)【要約】  本発明は、ハウジング１０ａ、１０ｂに結合される往復台２５であって、前記往復台２５が、ランプ１４を前記ハウジング内に保持するよう適合され、前記往復台２５が、前記ハウジング１０ａ、１０ｂ内の前記ランプ１４の位置を操作するよう前記ハウジング１０ａ、１０ｂに対して移動可能である往復台を有する照明装置１又は組立体であって、前記往復台が、第２軸に沿って加えられる力によって第１軸に沿って移動可能である照明装置１又は組立体に関する。これは、前記照明装置のピーク／フラットを調節するより便利な方法を供給する。
2012519934.tif 000002
【特許請求の範囲】
【請求項１】
ハウジングと、
前記ハウジングに結合される往復台であって、前記往復台が、ランプを前記ハウジング内に保持するよう適合され、前記往復台が、前記ハウジング内の前記ランプの位置を操作するよう前記ハウジングに対して移動可能である往復台とを有する照明装置であって、
前記往復台が、第２軸に沿って加えられる力によって第１軸に沿って移動可能である照明装置。
【請求項２】
前記ハウジングが、長手方向に長く、バックプレートを持ち、前記往復台が、保持されるランプを前記ハウジング内に配置するよう、前記長手方向に沿って、前記バックプレートに対して移動可能である請求項１に記載の照明装置。
【請求項３】
前記往復台が、ガイドを介して前記ハウジングと結合され、前記往復台が、前記ガイドに沿って前記バックプレートに対して移動可能である請求項２に記載の照明装置。
【請求項４】
前記往復台が、前記第２軸に沿った力を、前記往復台を前記長手方向に移動させる前記長手方向の力に変えるための力方向転換器を有する請求項２又は３に記載の照明装置。
【請求項５】
前記力方向転換器が、第２斜面に当たっている第１斜面を有する請求項４に記載の照明装置。
【請求項６】
前記第１斜面が、前記往復台上に配置され、前記第２斜面が、前記往復台に対して動く挿入物上に配置される請求項５に記載の照明装置。
【請求項７】
前記力が、前記挿入物に直接又は間接的に加えられる請求項６に記載の照明装置。
【請求項８】
前記力が、前記第２軸の周りを回転する部材を回転させることによって加えられる請求項４、５又は６に記載の照明装置。
【請求項９】
実質的に添付図面を参照して上に記載されているような照明装置。
【請求項１０】
照明装置のためのピーク／フラット調節組立体であり、
前記照明装置に結合するための往復台であって、前記往復台が、ランプを前記ハウジング内に保持するよう適合され、前記往復台が、前記ハウジング内の前記ランプの位置を操作するよう前記ハウジングに対して移動可能である往復台を有するピーク／フラット調節組立体であって、
前記往復台が、第２軸に沿って加えられる力によって第１軸に沿って移動可能であるピーク／フラット調節組立体。
【発明の詳細な説明】
【技術分野】
【０００１】
本発明は、照明器具、建築照明などのような照明装置のためのピーク／フラット調節組立体に関する。
【背景技術】
【０００２】
照明器具及び建築照明のような照明装置は、反射器と、レンズ系と、ランプとを含む円筒タイプのハウジングを有する。ランプは、照明が、所望の領域を照明するよう、反射器から反射され、レンズ系を通るように、ハウジング内で移動可能にずらされる。  
【０００３】
ランプの位置を調節することによって、照明装置のピーク／フラットを調節することが可能である。（当業者によって理解される）ピーク／フラット調節は、照明装置の光分布パターンに関する。
【発明の概要】
【発明が解決しようとする課題】
【０００４】
従来、ピーク／フラットを調節するためにハウジング内のランプの位置を操作するための手段は、使いにくかった。
【課題を解決するための手段】
【０００５】
或る態様においては、本発明は、
ハウジングと、
前記ハウジングに結合される往復台であって、前記往復台が、ランプを前記ハウジング内に保持するよう適合され、前記往復台が、前記ハウジング内の前記ランプの位置を操作するよう前記ハウジングに対して移動可能である往復台とを有する照明装置であって、
前記往復台が、第２軸に沿って加えられる力によって第１軸に沿って移動可能である照明装置にあると言われ得る。
【０００６】
随意に、
前記ハウジングは、長手方向に長く、開口部を備えるバックプレートを持ち、
前記往復台は、保持されるランプを前記開口部を通して前記ハウジング内に配置するよう、前記長手方向に沿って、前記バックプレートに対して移動可能である。
【０００７】
随意に、前記往復台は、ガイドを介して前記ハウジングと結合され、前記往復台は、前記ガイドに沿って前記バックプレートに対して移動可能である。
【０００８】
随意に、前記往復台は、回転力などの前記第２軸に沿った力を、前記往復台を前記長手方向に移動させる前記長手方向の力に変えるための、傾斜路などの力方向転換器（force diverter）を有する。前記長手方向は、前記照明装置の中心軸であり得る。
【０００９】
随意に、前記力方向転換器は、第２斜面に当たっている第１斜面を有する。
【００１０】
随意に、前記第１斜面は、前記往復台上に配置され、前記第２斜面は、前記往復台に対して動く挿入物上に配置される
【００１１】
随意に、前記力は、前記挿入物に加えられる。
【００１２】
随意に、前記力は、前記挿入物にねじ込まれる部材を回転させることによって加えられる。
【００１３】
別の態様においては、本発明は、照明装置のためのピーク／フラット調節組立体であり、
前記照明装置に結合するための往復台であって、前記往復台が、ランプを前記ハウジング内に保持するよう適合され、前記往復台が、前記ハウジング内の前記ランプの位置を操作するよう前記ハウジングに対して移動可能である往復台を有するピーク／フラット調節組立体であって、
前記往復台が、第２軸に沿って加えられる力によって第１軸に沿って移動可能であるピーク／フラット調節組立体にあると言われ得る。
【００１４】
特許明細書、他の外部文書又は他の情報源の参照がなされているこの明細書において、これは、一般に、本発明の特徴について述べるための背景を供給する目的のためのものである。特に明記しない限り、このような外部文書の参照は、このような文書又はこのような情報源が、あらゆる管轄範囲において、従来技術である、又は当業界における一般常識の一部を形成すると認めていると解釈されるべきではない。
【００１５】
この明細書において用いられているような「〜を有する」という用語は、「少なくとも一部において、〜から成る」を意味する。「含む」及び「含まれる」などの関連用語は、同じように解釈されるべきである。
【００１６】
本発明は、広くは、本願の明細書において、個々に又はひとまとめにして、言及されている又は示されているパーツ、素子及び特徴、並びに前記パーツ、素子又は特徴の任意の２つ以上の任意の又は全ての組み合わせにあるとも言われ得る。ここでは、この発明が関連する技術における既知の同等物を持つ特定の整数について言及されている。このような既知の同等物は、個々に記載されているかのようにここに盛り込まれるとみなされる。
【００１７】
本発明の少なくとも１つの実施例の利点は、ユーザが、ランプの所望の動きを持つ軸における力ではない力を加えることによって、プラット／ピークを調節することができることである。使用中、前記ユーザは、多くの場合、はしごを上っている。前記ユーザは、前記照明装置の後部ではなく、前記照明装置の側部において、力を加えることができ、それをより便利且つ直観的にする。  
【００１８】
以下の図面を参照して、本発明の実施例を記載する。
【図面の簡単な説明】
【００１９】
【図１】照明装置の斜視図である。
【図２】照明装置の組立分解等角図である。
【図３】往復台の更に詳細な斜視図である。
【図４】往復台の更に詳細な斜視図である。
【図５】往復台の更に詳細な斜視図である。
【図６】分離した往復台の斜視図である。
【図７】分離したランプ傾斜路の斜視図である。
【発明を実施するための形態】
【００２０】
ピーク／フラット調節組立体は、照明装置全体の一部を形成する。組立体は、任意の適切な照明装置において用いられ得るが、照明装置は、例えば、照明器具又は建築照明であり得る。ピーク／フラット調節組立体は、ハウジング内のランプの位置を調節して、ピーク／フラットを調節する手段を供給するために既存の照明装置に組み込まれ得る。実施例は、単独で組立体を含み、又は組立体を有する照明装置を含む。
【００２１】
ここで、図１乃至７を参照して、照明装置のためのピーク／フラット調節組立体の或る実施例を説明する。
【００２２】
図１は、照明装置１、この例においては、建築照明装置を示している。装置１は、一般に円筒形であり、長手方向軸、より広くは、長手方向Ｌを持つハウジング３０を有する（図２参照）。長手方向は、線Ｌに沿って両方向に延在する。下でより詳細に記載するように、ハウジング３０は、ピーク／フラット調節組立体と、反射器と、ランプと、レンズ系と、照明装置の他の素子とを保持する。
【００２３】
図２は、このような照明装置１内に収容される内部素子を示している。ハウジング３０は、ハウジング３０の円筒形組立体を形成するよう連結され得る２つの半円筒形素子１０ａ、１０ｂとして形成される。ランプ反射器６及び反射器ホルダ５は、ハウジング３０内に保持される。光反射器６は、開口部２３を持ち、照明装置１が組み立てられるとき、前記開口部２３を通してランプ１４が挿入され得る。レンズ系（図示せず）もハウジング３０内に保持され得る。  
【００２４】
バックプレート（ランプバッフル）４は、円筒形素子１０ａ、１０ｂに結合される。とりわけ、バッフル４は、ランプ反射器６のための取付台を供給する。バッフル４は開口部２２を持ち、前記開口部２２を通してランプ１４が挿入され得る。バッフル開口部２２は、同時に、反射器開口部２３と合わされる。後部ランプハウジング２は、ピーク／フラット調節組立体及び機構を囲む。
【００２５】
バッフル４は、バッフル４の背面から長手方向に後方へ延在する２つのレール２４ａ、２４ｂを有する往復台ガイド／カップリング２４を持つ。レール２４ａ、２４ｂは、ウェビング２４ｃによって接続される。 
【００２６】
バッフル４と結合する往復台２５が設けられる。図３乃至５は、バッフル４上に組み立てられる往復台２５を示している。図６は、分かりやすくするために往復台２５を単独で示している。往復台２５は、ランプ１４の保持のためのランプ口金９と、２つの平行なアーム延長部２６ａ、２６ｂとを有する。ランプ１４は、組み立て中、ランプ１４が、バッフル開口部２２及び反射器開口部２３を通って突出し、反射器６内に配置されるように、ランプ口金９に取り付けられる。  
【００２７】
各アーム延長部２６ａ、２６ｂの遠位端部には、各々、往復台ガイド２４の各々のレール２４ａ、２４ｂと摺動可能に係合するための半円筒２７ａ、２７ｂが配置される。半円筒２７ａ、２７ｂは、往復台ガイド２４を介して往復台２５をバッフル４に摺動可能に結合するためのカップリングを形成する。往復台２５は、往復台ガイド２４上を長手方向Ｌに後方及び前方へ自由に移動することができる。動作中、往復台２５は、ランプ１４を反射器６及びハウジング３０内の所望の位置に配置するために、長手方向に、バッフル４から離れることができ、バッフル４に近づくことができる。それ故、往復台２５の動きは、ランプ１４の適切な位置決めにより照明装置のピーク／フラットを調節することができる。
【００２８】
再び図２を参照すると、往復台２５は、長手方向Ｌと異なる軸に沿って生成される調節力によって長手方向にガイドに沿って前方及び後方へ動かされる。調節力は、好ましくは、押えねじ１０を経由して供給される。異なる軸における押えねじ１０の回転は、力方向転換器によって、往復台２５の位置を調節する長手方向の力（長手方向力）に変えられる力を生じさせる。  
【００２９】
好ましくは、力方向転換器は、互いに摺動可能に当たっている少なくとも２つの斜面を有し、それによって、第１斜面に対して直接又は間接的に第１方向に印加される力は、当たっている面を介して、第２斜面に伝えられる。これは、第１方向の力を長手方向Ｌの力に変換する。好ましい実施例においては、往復台２５の２つの方向における移動を可能にするために、少なくとも２対の斜面がある。第１の対は、長手方向Ｌにおいて照明装置の前部の方へ作用するよう力を変換するよう互いに当たっており、第２の対は、長手方向Ｌに沿って反対方向に（照明装置の前部から離れる後方に）作用するよう力を変換するよう互いに当たっている。
【００３０】
好ましくは、力方向転換器は、
ａ） 図７に示されているような、少なくとも１つの細長い傾斜突出部を備えるランプ傾斜路８であって、この例においては、ランプ傾斜路８の両外側の２つの突出部８ａ、８ｂが、各々、反対方向を向いている２つの支持面（例えば、３０ａ、３０ｂ）を供給するランプ傾斜路８と、
ｂ）各延長部２６ａ、２６ｂの内面上の、チャネル２９を規定する２つの対向傾斜突出部２８ａ、２８ｂであって、傾斜突出部２８ａ、２８ｂの１つのセットが図６に示されている２つの対向傾斜突出部２８ａ、２８ｂとを有する。  
【００３１】
ランプ傾斜路の細長い突出部８ａ、８ｂは、各延長部２６ａ、２６ｂの各々のチャネル２９に挿入され、前記各々のチャネル２９内で摺動可能に保持される。ランプ傾斜路８は、支持面における強制力の下で往復台２５に対して（或る角度において）自由に摺動することができる。ランプ傾斜路８は、往復台２５のための挿入物である。
【００３２】
他のタイプ又は構成の傾斜路も含む他のタイプの力方向転換手段が、同じ目的を達成することができることは分かるであろう。
【００３３】
ランプ傾斜路８は、押えねじ１０を回転可能に受けるためのねじが切ってある部分を有する。第１方向における押えねじ１０の回転は、ランプ傾斜路８を往復台２５に対して上方に押し込む。ランプ傾斜路８は摺動するので、その斜面、例えば、３０ａ、３０ｂは、往復台２５における突出部上の対応する面２８ａ、２８ｂに当たっている。これは、直角の力を長手方向の力に変え、往復台２５を、長手方向において、バッフル４の背面から離れさせる。押えねじ１０を同じ機構によって反対方向に回転させることは、往復台２５をバッフル４に近づかせる。これらの動きは、反射器６内のランプ１４の相対位置を調節する。
【００３４】
ピーク／フラット調節組立体は、バッフル４の一部若しくは全て、レールシステム、ランプ、往復台、力方向転換器、ランプ傾斜路、及び／又は押えねじを含み得る。好ましくは、ピーク／フラット調節組立体は、少なくとも、バッフルと結合するための往復台を有する。
【図１】
2012519934.tif 000003
【図２】
2012519934.tif 000004
【図３】
2012519934.tif 000005
【図４】
2012519934.tif 000006
【図５】
2012519934.tif 000007
【図６】
2012519934.tif 000008
【図７】
2012519934.tif 000009
【国際調査報告】
2012519934.tif 000010
2012519934.tif 000011
2012519934.tif 000012
2012519934.tif 000013